(57)【要約】【課題】高精度な光軸調整を実現でき、レンズ保持筒へのレンズの固定の際に、レンズに支障がなく、かつ、容易にレンズの固定を行うことできる投写光学系、投写光学系の製造方法、およびこの投写光学系を備えたプロジェクタを提供する。【解決手段】投写光学系３は、内部に所定の光路が設定されたレンズ保持筒１００と、このレンズ保持筒内で光路上に配置される複数のレンズ１１１〜１１４とを備える。レンズ１１１〜１１４のうち、レンズ１１３を構成するレンズ１１３Ｂは、光学領域の外周につば部が形成されている。レンズ保持筒１００外周には、レンズ１１３Ｂを位置調整する治具５が挿入されるルーズ孔１０１Ｂと、治具５により位置決めされたレンズ１１３Ｂを接着固定する接着剤の注入孔とが形成されている。レンズ１１３Ｂの光学面に沿ったつば部の周面は、前記レンズ保持筒の端面と接着剤を介して接着される。【選択図】 図３
2005099116.tif 000002
【特許請求の範囲】
【請求項１】
内部に所定の光路が設定されたレンズ保持筒と、このレンズ保持筒内で前記光路上に配置される複数のレンズとを備える投写光学系であって、
前記複数のレンズのうち、少なくともいずれかのレンズは、該レンズの光学領域の外周を囲むように形成されるつば部を有し、
前記レンズ保持筒の外周には、該レンズ保持筒内外を貫通し、このつば部を有するレンズを該レンズ保持筒外から位置調整する治具が挿入され、前記つば部を有するレンズを光軸方向および光軸直交方向に位置調整するためのルーズ孔と、前記治具により位置決めされた前記レンズを接着固定する接着剤が注入される注入孔とが形成され、
前記つば部を有するレンズの光学面に沿ったつば部の周面は、前記レンズ保持筒の端面と接着剤を介して接着されることを特徴とする投写光学系。
【請求項２】
請求項１に記載の投写光学系において、
前記ルーズ孔および前記注入孔は、前記光路の光軸を中心として点対称に、それぞれ一対ずつ形成されていることを特徴とする投写光学系。
【請求項３】
請求項１または請求項２に記載の投写光学系において、
前記つば部を有するレンズは、成型型を用いて成型された非球面レンズであることを特徴とする投写光学系。
【請求項４】
請求項１〜請求項３のいずれかに記載の投写光学系において、
前記つば部の外周端部は、レンズ保持筒に対向する面から反対側の面に向かって次第に縮径するテーパ状に形成されたテーパ部を有していることを特徴とする投写光学系。
【請求項５】
内部に所定の光路が設定されたレンズ保持筒と、このレンズ保持筒内で前記光路上に配置される複数のレンズとを備え、これら複数のレンズのうち、少なくともいずれかのレンズは、該レンズの光学領域の外周を囲むように形成されるつば部を有し、レンズ保持筒の外周には、該レンズ保持筒内外を貫通し、このつば部を有するレンズを、該レンズ保持筒外から位置調整する治具が挿入され、前記つば部を有するレンズを光軸方向および光軸直交方向に位置調整するためのルーズ孔と、前記治具により位置決めされた前記レンズを接着固定する接着剤が注入される注入孔とが形成された投写光学系の製造方法であって、
前記治具を前記つば部を有するレンズに形成されたつば部と係合させ、該治具を移動させて該つば部を有するレンズの光軸方向位置および光軸直交方向位置を位置決めするレンズ位置調整工程と、
前記位置調整工程により位置決めされたレンズの光学面に沿ったつば部の周面と該レンズ保持筒の端面との間に接着剤を前記孔から注入し、該レンズを固定するレンズ固定工程とを備えることを特徴とする投写光学系の製造方法。
【請求項６】
請求項５に記載の投写光学系の製造方法において、
前記つば部の外周端部は、レンズ保持筒に対向する面から反対側の面に向かって次第に縮径するテーパ状に形成されたテーパ部を有し、
前記治具は、前記テーパ部と係合し、
前記治具の光軸に対向する面は、該レンズの光学面から突出しないことを特徴とする投写光学系の製造方法。
【請求項７】
光源と、この光源から射出された光束を画像情報に応じて変調して光学像を形成する光変調装置と、前記光変調装置により形成された光学像を拡大投写する投写レンズと、これらを収納する筐体とを備えたプロジェクタであって、
前記投写レンズは、請求項１〜請求項４のいずれかに記載の投写光学系、若しくは、請求項５または請求項６に記載の投写光学系の製造方法により製造された投写光学系であることを特徴とするプロジェクタ。
【発明の詳細な説明】
【技術分野】
【０００１】
本発明は、内部に所定の光路が設定されたレンズ保持筒と、このレンズ保持筒内で前記光路上に配置される複数のレンズとを備える投写光学系、投写光学系の製造方法、および投写光学系を備えたプロジェクタに関する。
【背景技術】
【０００２】
従来、複数の色光を画像情報に応じて各色光ごとに変調する複数の液晶パネルと、各液晶パネルで変調された色光を合成するクロスダイクロイックプリズムと、このプリズムで合成された光束を拡大投写して投写画像を形成する投写レンズとを備えるプロジェクタが利用されている。
【０００３】
このようなプロジェクタに用いられる投写レンズとしては、投写画像において、解像度の低下や、歪曲収差および色収差等の収差の発生等を抑えるために、収束用レンズおよび発散用レンズを含む複数のレンズを組み合わせて構成された複合レンズが、レンズ保持筒内に収納されたものが利用されている。しかしながら、このような投写レンズを正しく機能させ投写画像の高品質を確保するためには、投写レンズを構成する各レンズの間の光軸に対して調芯を行う必要があった。
【０００４】
このようなレンズの調芯においては、光軸に直交する面内のレンズの周囲で、均等な３箇所に、レンズ光軸の中心に向かって進退するレンズ位置コマおよびレンズ位置決めコマ駆動ユニットを配置し、これらのレンズ位置コマを、レンズ枠体に当接させた状態で、レンズ位置コマ駆動ユニットにより進退させて、各レンズ間の光軸位置の調整を行うという方法が知られている（例えば、特許文献１参照）。
【０００５】
また、レンズ保持筒へのレンズの固定は、接着剤により行う場合がある（例えば、特許文献２参照）。このような場合では、レンズの光軸回りの端面に接着剤を塗布し、この接着剤により、レンズをレンズ保持筒に固定する。このような接着剤を用いてレンズを固定する場合、接着剤として紫外線硬化型接着剤が用いられる場合があり、光軸方向からの紫外線照射により、レンズをレンズ保持筒に接着固定するような構成とされている。
【０００６】
【特許文献１】特開２０００−２８８８７号公報
【特許文献２】特開平９−２８１３７４号公報
【発明の開示】
【発明が解決しようとする課題】
【０００７】
しかしながら、特許文献１に記載されたレンズの調芯方法では、調芯されるレンズは、照明光軸に対して直交する方向にしか移動されないため、その調整の自由度が低いという課題があった。また、特許文献２に記載のレンズの固定方法では、レンズ側面をレンズ保持筒に紫外線硬化型接着剤により接着するが、その接着剤の硬化の際に、接着剤の溶媒が蒸発し、内部に流入してレンズ表面に付着し、レンズの光束透過率の低下を招くという課題があった。さらに、紫外線照射だけでは接着剤が十分には硬化せず、温度硬化過程も要するなど、接着工程が煩雑で時間がかかるという課題があった。
【０００８】
本発明の目的は、高精度な光軸調整を実現でき、レンズ保持筒へのレンズの固定の際に、レンズに支障がなく、かつ、容易にレンズの固定を行うことできる投写光学系、投写光学系の製造方法、およびこの投写光学系を備えたプロジェクタを提供することである。
【課題を解決するための手段】
【０００９】
本発明の投写光学系は、内部に所定の光路が設定されたレンズ保持筒と、このレンズ保持筒内で前記光路上に配置される複数のレンズとを備える投写光学系であって、前記複数のレンズのうち、少なくともいずれかのレンズは、該レンズの光学領域の外周を囲むように形成されるつば部を有し、前記レンズ保持筒の外周には、該レンズ保持筒内外を貫通し、このつば部を有するレンズを該レンズ保持筒外から位置調整する治具が挿入され、前記つば部を有するレンズを光軸方向および光軸直交方向に位置調整するためのルーズ孔と、前記治具により位置決めされた前記レンズを接着固定する接着剤が注入される注入孔とが形成され、前記つば部を有するレンズの光学面に沿ったつば部の周面は、前記レンズ保持筒の端面と接着剤を介して接着されることを特徴とする。
【００１０】
本発明によれば、レンズの光学領域の外周には、つば部が形成され、つば部に係合し、ルーズ孔を介してレンズ保持筒外から挿入される治具により、光軸方向および光軸直交方向にレンズの位置調整が行われる。また、治具により、治具挿入方向を軸とするレンズの回動による位置調整、および、光軸直交方向で治具挿入方向の直交方向を軸とするレンズの回動による位置調整が可能である。従って、レンズの三次元的な位置調整が可能であり、レンズの高精度な調芯を行った投写光学系を実現できる。
【００１１】
また、レンズの光学面に沿ったつば部の周面は、レンズ保持筒端面に接着剤により接着固定される。これにより、接着剤の硬化に伴って発生する接着剤溶媒のガスが、内部に流入してレンズ表面に付着することを防ぐことができ、レンズが保持する光束透過率を維持して、光学像の劣化を防ぐことができる。また、レンズの光学面を接着剤が被覆することがないので、レンズの光学面の全面を光束透過領域とすることができる。
さらに、接着剤のレンズ保持筒内部への不要な流入がないので、接着剤として紫外線硬化型接着剤を用いた場合では、注入孔からの紫外線の照射だけで、十分に紫外線硬化型接着剤を硬化させることができる。
従って、レンズの機能を維持したままで、容易に、かつ迅速にレンズを固定できる投写光学系を実現できる。
【００１２】
本発明では、前記ルーズ孔および前記注入孔は、前記光路の光軸を中心として点対称に、それぞれ一対ずつ形成されていることが好ましい。
本発明によれば、一対のルーズ孔が、光軸を中心に点対称に形成されているので、光軸直交方向からレンズ両端部を治具で挟み込むことができる。従って、治具が、つば部の一方の端部だけでレンズと係合する場合に比べ、安定してレンズを調芯することができる。
また、治具とレンズとの係合が、治具により、レンズ両端から内向きに圧力を加えることによりなされる場合、調芯したレンズと治具との係合状態を、速やかに解くことができる。
また、一対の注入孔が、光軸を中心に点対称に形成されているので、レンズの光学面に沿ったつば部の周面における両端に、接着剤を注入することができ、これにより、レンズをレンズ保持筒に安定して固定することができる。
【００１３】
本発明では、前記つば部を有するレンズは、成型型を用いて成型された非球面レンズであることが好ましい。
ここで、このようなレンズとしては、プラスチックレンズおよびガラスレンズのどちらでもよい。
本発明によれば、つば部を有するレンズは、非球面レンズとして成型されている。ここで、非球面レンズは、光を一点に集める集光性が高い特性を有する一方で、光軸に対するレンズの調芯に高い精度が求められるという問題がある。このような非球面レンズが投写光学系のレンズとして用いられる場合であっても、精度の高いレンズの調芯を行うことができる。
また、このようなレンズは、成型型を用いて成型されたレンズとして成型されている。ここで、従来では、レンズ保持筒の光軸に対して調芯するレンズであっても、レンズの偏心や寸法、精度の向上のために、外周部分を削る芯取り作業を必要としたが、外周につば部が形成された成型レンズとすることにより、このような芯取り作業の一部または全部を省略することができる。従って、レンズ製造を簡易化して、レンズの製造コストを下げることができる。
なお、前述のつば部が形成された非球面レンズをプラスチックレンズとすれば、レンズを安価で製造することができ、ひいては、投写光学系を安価で製造することができる。すなわち、非球面レンズは、製造に高い加工精度が求められるので、製造コストが高いが、このような非球面レンズをプラスチックレンズとすることで、安価に製造することができる。
【００１４】
本発明では、前記つば部の外周端部は、レンズ保持筒に対向する面から反対側の面に向かって次第に縮径するテーパ状に形成されたテーパ部を有していることが好ましい。
本発明によれば、レンズのつば部は、テーパ状に形成されたテーパ部を有しているので、レンズのつば部両端部と治具とを係合しやすくすることができるとともに、安定して治具がレンズに係合することできる。また、治具がつば部端部を挟み込む場合、レンズとの治具の係合部分を小さく形成できるので、治具が挿通されるルーズ孔の大きさによって規定されるレンズの調整範囲が狭くても、レンズの調芯を行うことができる。さらに、レンズの光学面に沿ったつば部の周面と、つば部の外周端面とに治具が係合するようにし、光束入射方向の治具の端面を、レンズの光束入射面から突出しないようにした場合、治具によるレンズの光軸方向への位置調整が容易となるので、調芯の自由度を向上することができる。
【００１５】
本発明の投写光学系の製造方法は、内部に所定の光路が設定されたレンズ保持筒と、このレンズ保持筒内で前記光路上に配置される複数のレンズとを備え、これら複数のレンズのうち、少なくともいずれかのレンズは、該レンズの光学領域の外周を囲むように形成されるつば部を有し、レンズ保持筒の外周には、該レンズ保持筒内外を貫通し、このつば部を有するレンズを、該レンズ保持筒外から位置調整する治具が挿入され、前記つば部を有するレンズを光軸方向および光軸直交方向に位置調整するためのルーズ孔と、前記治具により位置決めされた前記レンズを接着固定する接着剤が注入される注入孔とが形成された投写光学系の製造方法であって、前記治具を前記つば部を有するレンズに形成されたつば部と係合させ、該治具を移動させて該つば部を有するレンズの光軸方向位置および光軸直交方向位置を位置決めするレンズ位置調整工程と、前記位置調整工程により位置決めされたレンズの光学面に沿ったつば部の周面と該レンズ保持筒の端面との間に接着剤を前記孔から注入し、該レンズを固定するレンズ固定工程とを備えることを特徴とする。
【００１６】
本発明によれば、レンズ保持筒内に収納されるレンズの高精度な調芯が実現でき、レンズに支障をきたすことなく、容易にレンズをレンズ保持筒に固定できるなど、前述の投写光学系で述べた効果を備えた投写光学系を製造できる。
【００１７】
本発明では、前記つば部の外周端部は、レンズ保持筒に対向する面から反対側の面に向かって次第に縮径するテーパ状に形成されたテーパ部を有し、前記治具は、前記テーパ部と係合し、前記治具の光軸に対向する面は、該レンズの光学面から突出しないことが好ましい。
本発明によれば、レンズのつば部の外周端部は、テーパ状に形成されたテーパ部を有しているので、つば部に治具が係合しやすくすることができる。また、光軸に対向する治具の端面が、レンズの光学面から突出しないので、治具が挿通されるルーズ孔の大きさにより規定されるレンズの調整範囲、特に光軸方向の調整範囲が狭い場合でも、レンズの調芯を確実に行うことができる。従って、治具との係合を容易にし、レンズの調芯の自由度を向上することができる。
【００１８】
本発明のプロジェクタは、光源と、この光源から射出された光束を画像情報に応じて変調して光学像を形成する光変調装置と、前記光変調装置により形成された光学像を拡大投写する投写レンズと、これらを収納する筐体とを備えたプロジェクタであって、前記投写レンズは、前述の投写光学系、若しくは、前述の投写光学系の製造方法により製造された投写光学系であることを特徴とする。
【００１９】
本発明によれば、レンズの高精度な光軸調整を行い、レンズの容易な接着固定を可能とした投写光学系を備えた光学的に高精度なプロジェクタを実現することができ、また、プロジェクタの製造コストおよび製造工程を削減を可能とすることができる。
【発明を実施するための最良の形態】
【００２０】
〔１．第１実施形態〕
以下、本発明の第１実施形態を図面に基づいて説明する。
（１）外部構成
図１は、本発明に係るプロジェクタ１を上方前面側から見た斜視図である。
プロジェクタ１は、光源から射出された光束を画像情報に応じて変調し、スクリーン等の投写面上に拡大投写する。このプロジェクタ１は、図１に示すように、外装ケース２と、この外装ケース２から露出する投写光学系としての投写レンズ３とを備えている。
【００２１】
外装ケース２は、合成樹脂製の外装筐体であり、プロジェクタ１の本体部分を収納する。外装ケース２の上面には、プロジェクタ１の起動・調整操作を実施する複数のスイッチ２１Ａが設けられた操作パネル２１が設けられている。外装ケース２の前面には、前方から見て左側部分にスリット状の排気口２２が形成されている。この排気口２２の内部には、図示しない排気ファンが配置され、この排気ファンにより、プロジェクタ１内部を冷却した空気が排気口２２からプロジェクタ１外部へと排出される。また、外装ケース２の前面右側部分には、前面から上面に向かって切り欠き２３が形成されており、この切り欠き２３には、投写レンズ３の先端部分およびレバー３Ａが露出している。
【００２２】
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａを備えている。このレバー３Ａは、投写像のフォーカス調整、および倍率調整可能に構成されている。
なお、投写レンズ３の構造については、後に詳述する。
【００２３】
（２）内部構成
図２は、プロジェクタ１の本体部分に収納された光学ユニット４を模式的に示した図である。光学ユニット４は、光源装置４１１から射出された光束を画像情報に応じて変調して光学像を形成し、投写レンズ３を介してスクリーン上に投写画像を形成するものである。この光学ユニット４は、インテグレータ照明光学系４１と、色分離光学系４２と、リレー光学系４３と、光学装置４４と、投写レンズ３とを備えており、図示しない光学部品用筐体に収納されている。
【００２４】
インテグレータ照明光学系４１は、後述する光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００２５】
光源装置４１１は、光源ランプ４１６と、リフレクタ４１７とを備え、光源ランプ４１６から射出された放射状の光線をリフレクタ４１７で反射して平行光束とし、この平行光束を外部へと射出する。光源ランプ４１６には、高圧水銀ランプを採用している。なお、高圧水銀ランプ以外に、メタルハライドランプやハロゲンランプ等も採用できる。また、リフレクタ４１７には、放物面鏡を採用している。なお、放物面鏡の代わりに、平行化凹レンズおよび楕円面鏡を組み合わせたものを採用してもよい。
【００２６】
第１レンズアレイ４１２は、光軸方向から見てほぼ矩形状の輪郭を有する小レンズがマトリクス状に配列された構成を有している。各小レンズは、光源ランプ４１６から射出された光束を複数の部分光束に分割している。各小レンズの輪郭形状は、液晶パネル４４１の画像形成領域の形状とほぼ相似形をなすように設定されている。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００２７】
偏光変換素子４１４は、第２レンズアレイ４１３と重畳レンズ４１５との間に配置されるとともに、第２レンズアレイ４１３と一体でユニット化されている。このような偏光変換素子４１４は、第２レンズアレイ４１３からの光を１種類の偏光光に変換するものであり、これにより、光学装置４４での光の利用効率が高められている。
【００２８】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００２９】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２，４３４とを備え、色分離光学系４２で分離された色光である赤色光を液晶パネル４４１Ｒまで導く機能を有している。
【００３０】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１８も同様である。
【００３１】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
【００３２】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される液晶パネル４４１Ｒ，４４１Ｇ，４４１Ｂと、各液晶パネル４４１Ｒ，４４１Ｇ，４４１Ｂの後段に配置される射出側偏光板４４３と、クロスダイクロイックプリズム４４４とを備える。
液晶パネル４４１Ｒ，４４１Ｇ，４４１Ｂは、例えば、ポリシリコンＴＦＴをスイッチング素子として用いたものである。光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００３３】
入射側偏光板４４２は、色分離光学系４２で分離された各色光のうち、一定方向の偏光光のみ透過させ、その他の光束を吸収するものであり、サファイヤガラス等の基板に偏光膜が貼付されたものである。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。
これらの入射側偏光板４４２および射出側偏光板４４３は、互いの偏光軸の方向が直交するように設定されている。
【００３４】
クロスダイクロイックプリズム４４４は、射出側偏光板４４３から射出され、各色光毎に変調された光学像を合成してカラー画像を形成するものである。このクロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１、射出側偏光板４４３およびクロスダイクロイックプリズム４４４は、一体的にユニット化された光学装置本体４５として構成されている。
【００３５】
（３）投写レンズ３の構造
図３および図４は、投写レンズ３を示す縦断面図である。詳述すると、図３および図４は、投写レンズ３に設定された光路の光軸に対してそれぞれ直交する方向における投写レンズ３の断面図である。
投写レンズ３は、前述のように、光学ユニット４で形成された光学像を拡大投写するための投写光学系である。この投写レンズ３は、図３および図４に示すように、内部に所定の光路が設定された合成樹脂製等のレンズ保持筒としての鏡筒１００と、この鏡筒１００内部に収納され、照明光軸Ｚ上に順次配置された複数のレンズとしてのレンズ群１１０とを備えている。
【００３６】
レンズ群１１０は、光束射出側（図３および図４中右側）から順に、１群レンズ１１１、２群レンズ１１２、３群レンズ１１３および４群レンズ１１４から構成されており、これらのレンズにより、入射される画像光を補正して、スクリーン等に光学像を拡大投写する。すなわち、前述のクロスダイクロイックプリズム４４４から射出された画像光は、非球面レンズである４群レンズ１１４に入射した後に、凸状レンズ１１３Ｂの光束射出面と凹状レンズ１１３Ａの光束入射面とが貼り合わされた貼り合せレンズである３群レンズ１１３で色収差の補正がなされ、２群レンズ１１２で微調整されてから、非球面レンズである１群レンズ１１１で歪曲収差が補正されながら、外部へと拡大投写される。
【００３７】
鏡筒１００は、光学部品用筐体の一端部分につば部１０１Ｘを介して固定される鏡筒本体１０１と、この鏡筒本体１０１の光束射出側に螺合された調整筒１０２と、鏡筒本体１０１の光束入射側に着脱可能に取り付けられた後筒１０３とを備えている。
このうち、鏡筒本体１０１内部には、２群レンズ１１２を固定するレンズ保持部１２２が形成されており、このレンズ保持部１２２によって、２群レンズ１１２がかしめ固定されている。また、鏡筒本体１０１の凸状レンズ１１３Ｂに対応する位置には、照明光軸Ｚを中心に点対称にそれぞれ孔１０１Ｂ（図３），１０１Ｃ（図４）が形成されている。
なお、３群レンズ１１３の固定に関しては、後に詳述する。
【００３８】
調整筒１０２の光束射出側端部には、１群レンズ１１１を固定するレンズ保持部１２１が形成されており、このレンズ保持部１２１により、１群レンズ１１１がかしめ固定されている。
調整筒１０２の光束入射側の外周には、雄ねじ溝１０２Ａが形成されており、この雄ねじ溝１０２Ａは、鏡筒本体１０１の光束射出側の内周に形成された雌ねじ溝１０１Ａと螺合する。この調整筒１０２には、前述のレバー３Ａ（図１参照）が係合し、照明光軸Ｚを回動軸として回動自在とされている。この調整筒１０２の回動により、照明光軸Ｚ方向に１群レンズ１１１を備えた調整筒１０２が進退し、投写画像のフォーカス調整ができるようになっている。なお、レバー３Ａを手動で操作することでフォーカス調整できる構成としてもよく、また、投写レンズ３にモータを設けて、自動でフォーカス調整できる構成としてもよい。
【００３９】
後筒１０３は、鏡筒本体１０１のつば部１０１Ｘに嵌合され固定されている。この後筒１０３の光束入射側端面には、４群レンズ１１４を固定するレンズ保持部１２４が形成されている。このレンズ保持部１２４は、レンズ保持部１２１，１２２と同様に固定対象のレンズをかしめ固定する部分であり、このレンズ保持部１２４により、４群レンズ１１４はかしめ固定される。
【００４０】
図５は、鏡筒本体１０１および３群レンズ１１３を示す横断面図である。
図３〜５に示すように、３群レンズ１１３を構成する凸状レンズ１１３Ｂに対応する鏡筒本体１０１の外周には、照明光軸Ｚ（図３および図４）を中心として点対称に、孔１０１Ｂ，１０１Ｃがそれぞれ一対ずつ形成されており、これら孔１０１Ｂどうしの中心を結ぶ線と，孔１０１Ｃどうしの中心を結ぶ線は、照明光軸Ｚで略直交する。
孔１０１Ｂはルーズ孔として形成され、この孔１０１Ｂに、凸状レンズ１１３Ｂに係合し照明光軸Ｚに対して３群レンズ１１３を調芯する治具５が挿通される。
孔１０１Ｃは、調芯された３群レンズ１１３を鏡筒本体１０１に固定する紫外線硬化型接着剤Ａが注入される注入孔であり、凸状レンズ１１３Ｂの光束射出側端面と鏡筒本体１０１端面とに紫外線硬化型接着剤Ａが注入される。
【００４１】
図６は、凸状レンズ１１３Ｂと治具５との係合を示す断面図である。
凸状レンズ１１３Ｂは、プラスチック製の非球面レンズとされ、前述のように、この凸状レンズ１１３Ｂと凹状レンズ１１３Ａとが貼り合わされて、色収差を行う３群レンズ１１３が構成されている。
図５および図６に示すように、凸状レンズ１１３Ｂは、光束が入射される光学領域１１３Ｂ１の外周を囲むようにつば部１１３Ｂ２が形成されている。このつば部１１３Ｂ２は、外周端面が、鏡筒本体１０１の端面に対向する面から反対側の面、すなわち、光束射出面から光束入射面に向かって次第に縮径するテーパ状に形成されている。このテーパ状に形成されたテーパ部１１３Ｂ３の角度は、６０°とされている。このテーパ部１１３Ｂ３と、つば部１１３Ｂ２の周面における凸状レンズ１１３Ｂの光束射出面に沿った面１１３Ｂ４とには、孔１０１Ｂを介して鏡筒本体１０１外部から挿入された治具５が係合する。
【００４２】
治具５は、前述のように、３群レンズ１１３の調芯を行うもので、それぞれの治具５は、凸状レンズ１１３Ｂのつば部１１３Ｂ２両端に係合する。
図６に示すように、それぞれの治具５の先端には、凸状レンズ１１３Ｂのつば部１１３Ｂ２を挟持する一対の挟持片５１１，５１２からなる挟持部５１が形成されている。
挟持片５１１は、面１１３Ｂ４に当接される。この面１１３Ｂ４との当接面は、面１１３Ｂ４に沿って当接されるように、治具５の延出方向と略平行に形成されている。
挟持片５１２は、テーパ部１１３Ｂ３に当接される。この挟持片５１２は、面１１３Ｂ４に当接される挟持片５１１の当接面に対して３０°の角度をもって傾斜して形成されている。この挟持片５１２は、凸状レンズ１１３Ｂのつば部１１３Ｂ２端部を挟持部５１が挟持した際に、光束入射側の面が、凸状レンズ１１３Ｂの光束入射面から突出しないように形成されている。
【００４３】
このような構成から、それぞれの治具５に形成された挟持部５１が、つば部１１３Ｂ２の両端を挟持し、治具５が、照明光軸Ｚ方向（図６中矢印Ｚ方向）および照明光軸Ｚに直交する方向（図５中矢印ＸおよびＹ方向）に凸状レンズ１１３Ｂを進退させるるだけでなく、治具５挿入方向を軸として凸状レンズ１１３Ｂを回動させ、また、照明光軸Ｚの直交方向で治具５挿入方向に対する直交方向を軸として凸状レンズ１１３Ｂを回動させることにより、三次元的な３群レンズ１１３の調芯が行われる。
【００４４】
（４）３群レンズ１１３の位置調整および固定
ここで、３群レンズ１１３の位置調整および固定について、以下に説明する。
図７は、３群レンズ１１３の位置調整および固定方法を説明するフローチャートである。また、図８は、３群レンズ１１３固定後の投写レンズ３を示す縦断面図である。
図７に示すように、作業者は、鏡筒本体１０１に形成された一対の孔１０１Ｂを介して、鏡筒本体１０１外部から治具５を挿入し、これら治具５に形成された挟持部５１で、鏡筒本体１０１内に収納された３群レンズ１１３の凸状レンズ１１３Ｂに形成されたつば部１１３Ｂ２をそれぞれ挟持する（処理Ｓ１）。
【００４５】
この後、治具５を前述のように進退および回動させ、照明光軸Ｚに合わせて３群レンズ１１３を調芯する（処理Ｓ２）。なお、照明光軸Ｚ方向に進退させるのは、３群レンズ１１３から射出される光束の焦点位置を調整するためである。ここで、３群レンズ１１３の位置調整は、例えば、ＣＣＤカメラ等で鏡筒本体１０１の内周円形部分を撮像し、そこから画像処理等で円中心を求め、同様に、３群レンズ１１３を撮像し、３群レンズ１１３の外周円中心を求めることにより行うことができる。そして、両円中心が一致する位置を最適位置として位置調整を終了する。
【００４６】
３群レンズ１１３の調芯を行った後、図８に示すように、凸状レンズ１１３Ｂに形成されたつば部１１３Ｂ２の周面における光束射出側の面１１３Ｂ４と、この面１１３Ｂ４に対向する鏡筒本体１０１の端面１０１Ｄとの間に、孔１０１Ｃを介して、紫外線硬化型接着剤Ａ（図５および図８）を注入する（処理Ｓ３）。このとき、面１１３Ｂ４と、端面１０１Ｄとが接続されるように紫外線硬化型接着剤Ａが注入されれば、接着剤Ａによりつば部１１３Ｂ２のテーパ部１１３Ｂ３が部分的に覆われるようにしてもよい。
【００４７】
紫外線硬化型接着剤Ａを注入した後、紫外線を照射し、紫外線硬化型接着剤Ａを硬化させ、鏡筒本体１０１に３群レンズ１１３を固定する（処理Ｓ４）。このとき、孔１０１Ｃから紫外線を紫外線硬化型接着剤Ａに照射すれば、確実に硬化させることができ、凸状レンズ１１３Ｂ、ひいては、この凸状レンズ１１３Ｂに貼り合わされた凹状レンズ１１３Ａとから構成される３群レンズ１１３を鏡筒本体１０１に固定できる。
【００４８】
以上の処理Ｓ１およびＳ２からなるレンズ位置調整工程と、処理Ｓ３およびＳ４からなるレンズ固定工程により、３群レンズ１１３は、照明光軸Ｚに対して精度良く光軸調整が行われ、鏡筒本体１０１に固定される。
【００４９】
（５）実施形態の効果
本発明の第１実施形態によれば、以下のような効果がある。
(5-1) 投写レンズ３の鏡筒１００を構成する鏡筒本体１０１には、３群レンズ１１３を構成する凸状レンズ１１３Ｂに対応する位置に、照明光軸Ｚを中心として点対称にそれぞれ一対の孔１０１Ｂ，１０１Ｃが形成されている。これらのうち、孔１０１Ｂは、鏡筒本体１０１に収納される３群レンズ１１３を調芯する治具５が挿入されるルーズ孔として形成されている。また、凸状レンズ１１３Ｂの光学領域１１３Ｂ１の外周には、つば部１１３Ｂ２が形成されており、このつば部１１３Ｂ２は、治具５の先端に形成された挟持部５１により挟持される。これによれば、治具５を、照明光軸Ｚ方向および照明光軸Ｚ方向に直交する方向に進退させて高精度な３群レンズ１１３の調芯が可能である。また、治具５により、治具５挿入方向を軸とする３群レンズ１１３の回動、および、照明光軸Ｚおよび治具５挿入方向それぞれに直交する方向を軸とする３群レンズ１１３の回動により、より高度な３群レンズ１１３の調芯を行うことができる。従って、高度な３群レンズ１１３の調芯を行うことができ、光学的に高精度な投写レンズ３を実現することができる。
【００５０】
(5-2) ３群レンズ１１３を構成する凸状レンズ１１３Ｂのように、通常、調芯を行うレンズに対しても芯取りの作業が必要であったが、凸状レンズ１１３Ｂにつば部１１３Ｂ２を形成することにより、このような芯取り作業の一部または全部を省略することができる。従って、３群レンズ１１３の製造工程を簡易化し、コストを削減することができる。
【００５１】
(5-3) ３群レンズ１１３の接着固定は、凸状レンズ１１３Ｂに形成されたつば部１１３Ｂ２の光束射出側の面１１３Ｂ４と、鏡筒本体１０１の端面１０１Ｄとの間に、紫外線硬化型接着剤Ａを孔１０１Ｃから注入することによって行われる。これによれば、紫外線硬化型接着剤Ａの硬化に伴って発生する溶媒ガスが内部に流入し、３群レンズ１１３表面に付着することを防ぐことができる。従って、３群レンズ１１３の固定の際に、３群レンズ１１３に支障をきたすことがなく、光束透過率を維持することができる。
(5-4) 孔１０１Ｃから紫外線を照射するだけで、紫外線硬化型接着剤Ａを硬化させることができる。これによれば、紫外線照射だけでなく、温度硬化工程も必要とした従来の投写レンズと比べて、３群レンズ１１３の固定を容易に、かつ、迅速に行うことができる。
(5-5) 紫外線硬化型接着剤Ａが注入されるのは、凸状レンズ１１３Ｂに形成されたつば部１１３Ｂ２の光束射出側の面１１３Ｂ４と、鏡筒本体１０１の端面１０１Ｄなので、凸状レンズ１１３Ｂの光学領域１１３Ｂ１の光学面に、紫外線硬化型接着剤Ａが付着しないようにすることができる。従って、凸状レンズ１１３Ｂの光学面の略全面を光束透過領域とすることができる。
【００５２】
(5-6) 孔１０１Ｂは、照明光軸Ｚを中心に点対称に一対ずつ形成されている。これによれば、凸状レンズ１１３Ｂのつば部１１３Ｂ２両端部を治具５により挟持できるので、治具５が、凸状レンズ１１３Ｂを安定して挟持でき、３群レンズ１１３を安定して調芯することができる。
(5-7) 治具５と凸状レンズ１１３Ｂとの係合は、それぞれの治具５の先端に形成された挟持部５１が、凸状レンズ１１３Ｂのつば部１１３Ｂ２両端から内向きに圧力を加えることにより行われる。これによれば、調芯した３群レンズ１１３の凸状レンズ１１３Ｂと治具５との係合状態を、速やかに解くことができる。
(5-8) 孔１０１Ｃは、孔１０１Ｂと同様に、照明光軸Ｚを中心に点対称に一対ずつ形成され、凸状レンズ１１３Ｂに形成されたつば部１１３Ｂ２の面１１３Ｂ４の両端に、紫外線硬化型接着剤Ａが注入される。これによれば、３群レンズ１１３を鏡筒本体１０１に安定して接着固定することができる。
【００５３】
(5-9) 凸状レンズ１１３Ｂは、プラスチック製の非球面レンズとして形成されている。従来では、非球面レンズは高い調芯精度が求められていたが、投写レンズ３では、前述のような構成により、高精度な調芯が可能である。従って、調芯に高い精度が求められる凸状レンズ１１３Ｂを備える３群レンズ１１３も調芯できる。
【００５４】
(5-10)凸状レンズ１１３Ｂのつば部１１３Ｂ２には、６０°の角度を有するテーパ部１１３Ｂ３が形成されている。また、治具５の挟持部５１は、２つの挟持片５１１，５１２から構成され、それぞれの挟持片５１１，５１２が形成する角度は、３０°とされている。これによれば、治具５の挟持部５１が凸状レンズ１１３Ｂを挟持しやすくすることができる。
(5-11)治具５の挟持部５１の光束入射側は、凸状レンズ１１３Ｂの光束入射面より突出しないように形成されているので、孔１０１Ｂの大きさによって規定される３群レンズ１１３の調整範囲、特に照明光軸Ｚ方向の調整範囲が狭い場合でも、その範囲を最大限に使って、３群レンズ１１３の調芯を行うことができる。
【００５５】
(5-12)投写レンズ３は、レンズ位置調整工程Ｓ１，Ｓ２およびレンズ固定工程Ｓ３，Ｓ４を有する製造工程により製造される。これによれば、前述のような効果を奏することができる投写レンズ３を製造することができる。すなわち、レンズ位置調整工程Ｓ１，Ｓ２で、つば部１１３Ｂ２が形成された凸状レンズ１１３Ｂを備える３群レンズ１１３を、高精度に調芯することができ、また、レンズ固定工程Ｓ３，Ｓ４で容易に３群レンズ１１３を鏡筒本体１０１に接着固定できる。従って、光学的に高精度な投写レンズ３を容易に製造することができる。また、前述のように、治具５の光束入射側の面が、凸状レンズ１１３Ｂの光束入射面から突出しないので、狭い調整範囲でも、３群レンズ１１３を調芯できる。
【００５６】
(5-13)プロジェクタ１は、前述のような構成の投写レンズ３を備えていることにより、光学的に高精度なプロジェクタを実現することができる。
【００５７】
〔２．第２実施形態〕
次に、本発明の第２実施形態に係るプロジェクタについて説明する。第２実施形態のプロジェクタは、第１実施形態で示したプロジェクタと略同じ構成を備え、略同じ製造方法によって製造された投写レンズを備えているが、投写レンズにおける１群レンズおよび４群レンズの固定において、第１実施形態と相違点を有する。なお、以下の説明では、既に説明した部分と同一または略同一である部分については、同一の符号を付して説明を省略する。
【００５８】
図９には、本発明の第２実施形態に係る投写レンズ３１を示す縦断面図が示されている。
投写レンズ３１は、第１実施形態で示した投写レンズ３と同様に、レンズ保持筒としての鏡筒１００を備え、この鏡筒１００は、鏡筒本体１０１と、調整筒１０４と、後筒１０５を含んで構成されている。また、鏡筒１００内部には、光束射出側（図９中右側）から順に、１群レンズ１１５、２群レンズ１１２、３群レンズ１１３および４群レンズ１１６が収納されている。
【００５９】
鏡筒本体１０１には、２群レンズ１１２と、凹状レンズ１１３Ａおよび凸状レンズ１１３Ｂが貼り合わされて構成される３群レンズ１１３とが固定されている。ここで、２群レンズ１１２は、レンズ保持部１２２によりかしめ固定されている。また、３群レンズ１１３は、第１実施形態で説明したレンズ位置調整工程Ｓ１，Ｓ２およびレンズ固定工程Ｓ３，Ｓ４を経て鏡筒本体１０１に接着固定されている。
【００６０】
調整筒１０４の光束射出側端部には、１群レンズ１１５が取り付けられている。この１群レンズ１１５には、３群レンズ１１３の凸状レンズ１１３Ｂと同様に、光学領域１１５Ａの外周を囲むようにテーパ状のつば部１１５Ｂが形成されている。このつば部１１５Ｂの角度は、凸状レンズ１１３Ｂと同様に６０°とされている。また、調整筒１０４の光束射出側端部は、照明光軸Ｚの直交方向に延出した延出部１０４Ａが形成されている。
１群レンズ１１５の調整筒１０４への固定の際には、治具５と略同じ構成の図示しない治具により１群レンズ１１５を挟持し、位置調整を行う。そして、延出部１０４Ａの光束射出側の面と、１群レンズ１１５に形成されたつば部１１５Ｂの周面における光束入射側の面との間に紫外線硬化型接着剤Ａを注入し、紫外線照射により紫外線硬化型接着剤Ａを硬化させて、１群レンズ１１５を調整筒１０４に固定する。
【００６１】
後筒１０５の光束入射側端部には、４群レンズ１１６が取り付けられている。この４群レンズ１１６についても、光学領域１１６Ａの外周にテーパ状のつば部１１６Ｂが形成されている。また、後筒１０５の光束入射側端部には、照明光軸Ｚの直交方向に延出した延出部１０５Ａが形成されている。この４群レンズ１１６のつば部１１６Ｂの光束射出側の面と、後筒１０５に形成された延出部１０５Ａの光束入射側の面との固定は、１群レンズ１１５の場合と同様である。
【００６２】
従って、本発明の第２実施形態によれば、前述の(5-1)〜(5-13)と略同じ効果を奏することができるほか、以下の効果を奏することができる。
投写レンズ３１の鏡筒１００内に収納されるレンズ群１１０のうち、非球面レンズである１群レンズ１１５および４群レンズ１１６には、凸状レンズ１１３Ｂと同様に、つば部１１５Ｂ，１１６Ｂが形成されている。１群レンズ１１５および４群レンズ１１６は、図示しない治具により位置調整がなされた後、つば部１１５Ｂ，１１６Ｂと、これらつば部１１５Ｂ，１１６Ｂに対向する調整筒１０４および後筒１０５の延出部１０４Ａ，１０５Ａの面とが、紫外線硬化型接着剤Ａによって接着固定される。これによれば、一層高度に調芯した投写レンズ３１を実現でき、より簡易に鏡筒１００に１群レンズ１１５および４群レンズ１１６を接着固定できる。
【００６３】
〔３．実施形態の変形〕
なお、本発明は、前記各実施形態に限定されるものではなく、本発明の目的を達成できる他の構成等を含み、以下に示すような変形等も本発明に含まれる。
前記各実施形態では、非球面レンズである１群レンズ１１５、凸状レンズ１１３Ｂを備える３群レンズ１１３、および、４群レンズ１１６に、本発明の投写光学系の製造方法のレンズ位置調整工程およびレンズ固定工程を採用したが、他の形状のレンズに採用してもよい。すなわち、レンズにつば部を有するレンズに、本発明を採用してレンズ位置の調整およびレンズの固定を行ってもよい。
【００６４】
前記各実施形態では、１群レンズ１１５、凸状レンズ１１３Ｂを備える３群レンズ１１３、および４群レンズ１１６を、鏡筒１００に接着固定する接着剤として、紫外線硬化型接着剤Ａを採用したが、本発明はこれに限らず、他の条件により硬化する接着剤を採用してもよい。例えば、温度硬化型接着剤や瞬間接着剤等を挙げることができる。
【００６５】
前記各実施形態では、孔１０１Ｂ，１０１Ｃは、照明光軸Ｚを中心として点対称に一対ずつ形成されるとしたが、これ以上多くの数の孔を形成してもよい。なお、それぞれ一対の孔としても、レンズの調芯および接着固定を十分に行うことができ、また、鏡筒の強度も維持することができる。
【００６６】
前記各実施形態では、凸状レンズ１１３Ｂ、１群レンズ１１５および４群レンズ１１６のつば部１１３Ｂ２，１１５Ｂ，１１６Ｂはテーパ状に形成されているとしたが、テーパ状でなくてもよい。この場合、治具がレンズの光束入射側および光束射出側の端面を挟持するような構成が考えられる。なお、つば部をテーパ状とすることで、治具が係合しやすく、また、治具とレンズとを離しやすくすることができるほか、レンズと係合する治具先端を小さく形成でき、レンズの調芯における調整範囲を十分に確保することができる。
【００６７】
前記各実施形態において、治具５に形成された挟持部５１の挟持片５１１，５１２は、３０°の角度をもって傾斜して形成されているとしたが、テーパ状に形成されたつば部の角度よりも小さい角度で形成されていればよい。
【００６８】
前記各実施形態において、３つの光変調装置を用いたプロジェクタを採用したが、これに限らず、例えば、１つの光変調装置のみを用いたプロジェクタ、２つの光変調装置を用いたプロジェクタ、または４つ以上の光変調装置を用いたプロジェクタとしてもよい。また、光変調装置として液晶パネルを採用したが、これに限らず、マイクロミラーを用いたデバイス等の液晶以外の光変調装置を採用してもよい。さらに、透過型の光変調装置ではなく、反射型の光変調装置を用いてもよい。
【００６９】
前記各実施形態では、プロジェクタの投写レンズとして、本発明の投写光学系を採用したが、本発明はこれに限らない。例えば、カメラや望遠鏡等に用いる組レンズに採用してもよい。
その他、本発明の実施時の具体的な構造および形状等は、本発明の目的を達成できる範囲で、他の構造等としてもよい。
【産業上の利用可能性】
【００７０】
本発明は、複数のレンズにより構成される組レンズに利用できる他、プロジェクタの投写レンズにも利用することができる。
【図面の簡単な説明】
【００７１】
【図１】本発明の第一実施形態に係るプロジェクタを示す概要斜視図。
【図２】前記実施形態における光学ユニットの光学系を説明する図。
【図３】前記実施形態における投写レンズを示す縦断面図。
【図４】前記実施形態における投写レンズを示す縦断面図。
【図５】前記実施形態における鏡筒本体および３群レンズを示す横断面図。
【図６】前記実施形態における凸状レンズおよび治具を示す縦断面図。
【図７】前記実施形態における３群レンズの位置調整および固定方法を説明するフローチャート。
【図８】前記実施形態における３群レンズ固定後の投写レンズを示す縦断面図。
【図９】本発明の第２実施形態に係る投写レンズを示す縦断面図。
【符号の説明】
【００７２】
１・・・プロジェクタ、２・・・外装ケース（筐体）、３，３１・・・投写レンズ（投写光学系）、５・・・治具、１００・・・鏡筒（レンズ保持筒）、１０１Ｂ・・・孔（ルーズ孔）、１０１Ｃ・・・孔（注入孔）、１１３B・・・凸状レンズ（レンズ）、１１３Ｂ１，１１５Ａ，１１６Ａ・・・光学領域、１１３Ｂ２，１１５Ｂ，１１６Ｂ・・・つば部、１１３Ｂ３・・・テーパ部、１１３Ｂ４・・・面（周面）、１１５・・・１群レンズ（レンズ）、１１６・・・４群レンズ（レンズ）、４１６・・・光源ランプ（光源）、４４１Ｒ，４４１Ｇ，４４１Ｂ・・・液晶パネル（光変調装置）、Ａ・・・紫外線硬化型接着剤、Ｓ１，Ｓ２・・・レンズ位置調整工程、Ｓ３，Ｓ４・・・レンズ固定工程、Ｚ・・・光軸。
【図１】
2005099116.tif 000003
【図２】
2005099116.tif 000004
【図３】
2005099116.tif 000005
【図４】
2005099116.tif 000006
【図５】
2005099116.tif 000007
【図６】
2005099116.tif 000008
【図７】
2005099116.tif 000009
【図８】
2005099116.tif 000010
【図９】
2005099116.tif 000011